(57)【要約】      （修正有）【課題】貼箱のコーナー部分が使用時には必要とする強度を有し、使用後の廃棄時にはわずかな力でコーナー部分を破壊することが可能である相互に相矛盾する機能を有する貼箱を提供する。【解決手段】多角形の底板又は天板の各辺に側壁２’を立ち上げ又は下降させた芯材Ｂを上貼紙Ａで貼り包んで貼箱とする。さらに、上貼紙Ａは箱体の側壁同士で形成される各コーナーを覆うコーナーラップ３と側壁端部を覆う延長部７を有し、コーナーラップ３がコーナーに当接する箇所に切断容易線を有する。また、多角形が長方形であり、芯材の各コーナーが角止テープ６で仮止めされており、角止テープのコーナーに当接する箇所に切断容易線４を有し、切断容易線４がミシン目線である、貼箱である。【選択図】図４
0003177883.tif 000002
【実用新案登録請求の範囲】
【請求項１】
多角形の底板又は天板の各辺に側壁を立ち上げ又は下降させた芯材を上貼紙で貼り包んでなる貼箱であって、上貼紙が箱体の側壁同士で形成される各コーナーを覆うコーナーラップと側壁端部を覆う延長部を有し、コーナーラップがコーナーに当接する箇所に切断容易線を有することを特徴とする貼箱。
【請求項２】
多角形が長方形であることを特徴とする請求項１に記載の貼箱。
【請求項３】
側壁を立ち上げた芯材が、各コーナーが角止テープで仮止めされていることを特徴とする請求項１又は２に記載の貼箱。
【請求項４】
角止テープのコーナーに当接する箇所に切断容易線を有することを特徴とする請求項３に記載の貼箱。
【請求項５】
切断容易線がミシン目線であることを特徴とする請求項１〜４の何れか１項に記載の貼箱。
【考案の詳細な説明】
【技術分野】
【０００１】
本考案は芯材を上貼紙で貼り包むことにより得られる貼箱に関するものであり、その貼箱のコーナー部分は使用時には必要とする強度を有し、使用後の廃棄時にはわずかな力でコーナー部分を破壊することが可能である貼箱に関するものである。
本考案の貼箱は、使用時には必要とする強度を有し、廃棄時には容易に破壊し得る、という互いに相矛盾するニーズを満たす貼箱であるので本願明細書では「矛盾貼箱」と名付けた。
【背景技術】
【０００２】
長方形の貼箱については、従来から四方に突出する部分が側壁部となり、中央が底部となる十字形の芯材を準備し、四方の突出部を立ち上げて底部の四辺に側壁部を形成した船形の箱形芯材とし、該芯材の十字形とほぼ同形で四方の突出部が一定長で長く、かつコーナーラップ部分を有する化粧用の上貼紙を用いて、芯材の底部、及び四方の側壁部を内部にまで跨ぎ、かつコーナー部分を含めて、包む様に貼り包むことにより得ていた。
【０００３】
即ち、特許文献１には、十字形の芯材で通常は１ｍｍ〜２ｍｍ程度の厚さのボール紙の四方に突出する突出部分が箱の四側面に、中央部は身部分の底面に使用され、側面は容易に直角に曲げて立ち上がるべく、その屈曲部には芯材の厚み未満の深さで屈曲方向とは逆側から切れ目が入れられており、貼り箱の製造手順は、美粧目的の薄紙を敷き、その上に一様に接着剤を塗布し、四方の壁を立ち上げた状態で固定した芯材を設置し、これを下から包むように薄紙が四側面をその内側面に回しこんで貼られて箱体を形成することが記載（段落［0002］、［0003］参照）されている。
【０００４】
更に、従来の貼箱においては、船形芯材は、四隅を角止テープを用いて固定し、その芯材を上貼紙を用いて包む様に貼り包むことにより得ており、該角止テープは隅部の強度を保つための補強材としての機能も有していた。
しかしながら、従来の貼箱においては、コーナー部分の強度は強ければ強いほど良いとされていたので、貼箱の強度は上貼紙に設けるコーナーラップ及び幅広な角止テープにより支えられており、該貼箱のコーナー部分の破壊は、工具等を用いたり、極めて強い力により破壊されることが必要であっが、近年、地球環境の破壊防止のために、使用後の製品のリサイクルが叫ばれており、貼箱においても、使用時には高強度を保ち、使用後には箱体を平らな板状物とするために隅部を破壊する必要があるが、該破壊がわずかの力で破壊可能であり、お年寄りでも容易に箱をつぶして平らな板状物になし得るというニーズが高まってきた。
即ち、貼箱において、使用時には必要とする強度を保ち、使用後の廃棄の際には、わずかな力でも容易に破壊し得るという、相互に相矛盾するニーズが要求されている。
【先行技術文献】
【特許文献】
【０００５】
【特許文献１】特開２００８−１２６５４９号公報
【考案の概要】
【考案が解決しようとする課題】
【０００６】
本考案は、貼箱に関するものであり、その貼箱のコーナー部分は使用時には必要とする強度を有し、使用後の廃棄時にはわずかな力でコーナー部分を破壊することが可能であるという相互に相矛盾する機能を有する貼箱に関するものである。
【課題を解決するための手段】
【０００７】
本考案者らは、上記の従来技術の問題点を解決するために鋭意検討した結果、本考案をなすに至った。
即ち、本考案の第１は、多角形の底板又は天板の各辺に側壁を立ち上げ又は下降させた芯材を上貼紙で貼り包んでなる貼箱であって、上貼紙が箱体の側壁同士で形成される各コーナーを覆うコーナーラップと側壁端部を覆う延長部を有し、コーナーラップがコーナーに当接する箇所に切断容易線を有することを特徴とする貼箱、である。
本考案の第２は、多角形が長方形であることを特徴とする上記第１に記載の貼箱、である。
本考案の第３は、側壁を立ち上げた芯材の箱体の側壁同士で形成され各コーナーが角止テープで仮止めされていることを特徴とする第１又は第２に記載の貼箱、である。
本考案の第４は、角止テープのコーナーに当接する箇所に切断容易線を有することを特徴とする第３に記載の貼箱、である。
本考案の第５は、切断容易線がミシン目線であることを特徴とする第１〜第４の何れかに記載の貼箱、である。
【考案の効果】
【０００８】
本考案の貼箱は、使用時には必要とされる強度を有し、使用後の廃棄時にはわずかな力でコーナー部分を破壊することが可能であるという相互に相矛盾する機能を有する矛盾貼箱に関するものであり、上貼紙のコーナーラップのコーナー当接部に切断容易線を設けると共に、芯材の仮止めテープの幅を３分の１以下とすることにより矛盾貼箱を得る。
【図面の簡単な説明】
【０００９】
【図１】本考案の多角形の貼箱を示す図であり、（イ）は長方形の貼箱を、（ロ）は三角形の貼箱を、（ハ）は六角形の貼箱を示す図である。
【図２】上貼紙の形状を示す展開図である。
【図３】上貼紙と芯材との関係を示す図である。
【図４】芯材を上貼紙で貼り包む工程を示す図であり、（イ）は四隅を角止テープを用いて固定した芯材を接着剤を塗布した上貼紙上に載置した図であり、（ロ）は上貼紙の左右を立ち上げて芯材に貼り付け、コーナーラップでコーナーを覆う図であり、（ハ）は上貼紙の上下を立ち上げて芯材に貼り付ける図である。
【図５】切断容易線を形成するための各種の刃型を示す図である。
【考案を実施するための形態】
【００１０】
本考案の貼箱は、箱状に組立てた芯材を上貼紙で貼り包んでなる貼箱である。
箱体には、底板と側壁とを有し物を容れる容器となる身部分と、天板と側壁とを有し該身部分を覆う蓋部分とからなり、両者は、蓋部分を身部分より側壁の厚みだけ大きく作製し、該蓋部分を身部分に嵌合させて箱体を形成するものである。
したがって、身部分の底を底板といい、蓋部分の天部分を天板という以外は、両者は、両板部分を側壁で囲んで開口を有する構造のものであり、貼箱そのものは身部分と蓋部分とは上下が逆になったものであり、本願明細書においては身部分について説明するが、蓋部分については単に大きさが相違するものであり、その他については底板を天板に読み代え、側壁を立ち上げるか下降させるかの相違だけであり、その実施の形態は身部分を蓋部分にも適用し得るものである。
【００１１】
以下、図面を用いて本考案の長方形の貼箱について説明する。
本考案において、多角形とは、三角形乃至八角形等をいい、三角形においても正三角形に限らず二等辺三角形でもよく、また、四角形では長方形に限らず正方形、菱形でもよく、六角形においては正六角形に限らず、対向する２辺を長くとり船形の六角形でもよく、各多角形においては種々の形状が考えられる。
図１に本考案の多角形の貼箱の外観図を示し、（イ）は本願明細書で説明する長方形の貼箱を示し、（ロ）は三角形の貼箱の外観図を示し、（ハ）は六角形の貼箱の外観図を示す。
【００１２】
図２は本考案に用いる上貼紙（Ａ）の形状を示す展開図である。上貼紙（Ａ）は十字形状であり、十字形の中心部（１）は底板（１’）に対応する底対応部（１）であり、十字の突出部は側壁に対応する側壁対応部（２）である。側壁対応部（２）には、芯材の側壁部分を越えて貼り包む延長部（７）を有する。
側壁対応部（２）の一方には芯材のコーナーを包むコーナーラップ（３）を設ける。該コーナーラップ（３）は芯材を貼り包む場合、貼箱のコーナーにまたがって包み、貼り箱の４隅の強度を支えるものであり、コーナーラップ（３）は側壁対応部（２）のいずれか一方の端部に形成すればよいが、芯材を貼り包む工程上の観点から、対向する側壁対応部（２）の両端部に形成するのが好ましく有利である。側壁対応部（２）には芯材を貼り包む場合に側壁の上端部を越えて包まれるのであるから、芯材の側壁より側壁の上端部を越えて包む分の延長部を有し、即ち図３の延長部（７）だけ延長する。
【００１３】
本考案においては、コーナーラップがコーナーに当接する箇所に切断容易線（４）を有することを特徴とする。
切断容易線（４）とは、本考案の貼箱を使用時には必要に応じる程度のコーナー強度を有し、使用後に廃棄する際には、隅部を破壊して平らな板状態にするのが容易な切断容易線（４）を設けることによりわずかな力で容易に破壊することが可能となり得る線もしくは筋のことである。
切断容易線（４）は、図５の（ａ）乃至（ｎ）に示す種々の刃型により形成することができるが、代表的には、小（ａ）、中（ｂ）、並びに大（ｃ）のミシン目が挙げられる。
上貼紙（Ａ）には、種々の厚み、例えば０．０５〜１．５ｍｍ、好ましくは０．０７〜１．０ｍｍ、更に好ましくは０．１〜０．８ｍｍ、厚の単色紙が用いられるが、特に蓋部分を形成するには模様紙、化粧紙、印刷紙などが用いられる。
切断容易線（４）を形成する刃型は、上貼紙の種類、厚さに応じて適宜選択される。
【００１４】
図３は、上貼紙（Ａ）の上に芯材（Ｂ）を重ね合わせた図であり、両者の対応関係を示す図である。芯材（Ｂ）の側壁（２’）を貼り包む上貼紙（Ａ）の側壁対応部（２）は、芯材（Ｂ）の側壁を越えて貼り包むため、側壁を越える延長部（７）だけ幅広にしている。芯材（Ｂ）の裏面には、芯材を組み立てるための半切り線（５）が設けられている。該半切り線は裏面に芯材の厚さの半分以上に切込みを入れるものであり、該切込みは芯材を折り曲げ易くするためのものである。該半切り法では、折り曲げたコーナー部分がシャープに形成されないことから、本出願人が先に提出した特許出願２０１２−０８４８３６号に記載のＶカット法によりシャープなコーナーを設けても良い。
本考案で用いる芯材は、貼り箱にした場合に、その形状を保持する剛性を有するものであれば如何なる材質のものでも使用することができるが、安価にして、かつ廃棄を容易にし、廃棄の際に環境を破壊しない点を考慮すると、板紙が好ましく、例えば、チップボール、マニラボール、白ボール、コートボール等の板紙が好ましい。その厚みは貼り箱としての剛性を備えるものであれば如何なる厚さでも良いが、好ましくは０．５〜５．０ｍｍ、更に好ましくは０．７〜３．０ｍｍ、最も好ましくは１．０〜２．０ｍｍである。
次に、芯材（Ｂ）の組み立て、及び組み立てられた芯材を上貼紙（Ａ）で貼り包んで貼り箱を製造する工程を説明する。
【００１５】
図４は、図１に示す上貼紙（Ａ）及び芯材（Ｂ）の一隅の拡大図を用いての貼り包む工程を示す図である。図４中の（イ）は半切り線（５）を折り曲げてその四隅を粘着テープ（６）で仮止した芯材（Ｂ）を、接着剤を塗布した上貼紙（Ａ）上に載置した図である。同（ロ）は上貼紙（Ａ）のコーナーラップを有する側壁対応部（２）を立ち上げて芯材（
Ｂ）の側壁（２’）の貼り付け、更にコーナーラップ、および側壁を越える延長部（７）を折り曲げて芯材を貼り包むものであり、コーナーラップに設けた切断容易線（４）は芯材のコーナーに合致する。次いで同（ハ）は残りの側壁対応部（２）を立ち上げて芯材（Ｂ）の側壁（２’）の貼り付け、側壁を越える延長部（７）を折り曲げて芯材を貼り包み、貼箱が完成する。
【００１６】
粘着テープ（６）は、芯材を仮止めするのに用いるものであり、通常は貼箱のコーナーを補強する機能を有するもので、５〜５０ｍｍ幅で布，フィルム，紙等で作成されたものであるが、本考案においては、コーナーを破壊する際の妨げとなる恐れがあるので、仮止めテープを使用しないか、又は、通常の仮止めテープの３分の１程度の幅のテープとするものであり、且つその止め位置も図４では開口部近辺の最上部に設けているが、中段でも下段でもよく、更には、廃棄する際の破壊を容易にするために、粘着テープのコーナーの当接する箇所にコーナーラップに設けたものと同様の切断容易線を設けてもよい。
切断容易線（４）は、図５の（ａ）乃至（ｎ）に示す種々の刃型を有する押型を用いて形成することができる。図５は刃型を示しているから、当然のことながら、実線部分は上貼紙（Ａ）の切込み部分となり、実線が切れた部分でコーナーラップは上貼紙（Ａ）の本体と連結していることとなる。代表的な切断容易線（４）は、前述の如く、各種のミシン目である。
【産業上の利用可能性】
【００１７】
本考案により、貼箱のコーナー部分が使用時には必要とする強度を有し、使用後の廃棄時にはわずかな力でコーナー部分を破壊することが可能であるという相互に相矛盾する機能を有する貼箱を提供することができた。
【符号の説明】
【００１８】
Ａ    上貼紙
Ｂ    芯材
１    上貼紙の底板対応部分
１’  芯材の底板
２    上貼紙の側壁対応部分
２’  芯材の側壁
３    コーナーラップ
４    切断容易線
５    半切り線
６    粘着テープ
７    上貼紙の側壁対応部分の延長部
ａ〜ｎ    刃型
【図１】
0003177883.tif 000003
【図２】
0003177883.tif 000004
【図３】
0003177883.tif 000005
【図４】
0003177883.tif 000006
【図５】
0003177883.tif 000007